(57)【要約】【課題】利便性の向上が図れる選局装置を提供する。【解決手段】選局装置６を構成する選局制御手段６１は、リモートコントローラ３に設定入力されたチャンネルを認識するチャンネル認識部５４１と、該チャンネルに係るテレビジョン放送信号をチューナ２に受信させる選局制御部５４２と、選局時間を計測するタイマ５４３と、タイマ５４３にて計測された選局時間が設定時間情報に基づく設定時間以上であるか否かを判定する比較判定部５４４と、設定時間情報、および比較判定部５４４にて設定時間以上であると判定された選局時間に対応するチャンネルに関するチャンネル情報を記憶するメモリ５５とを備える。選局制御部５４２は、リモートコントローラ３に再選局情報が設定入力された場合に、メモリ５５に記憶されたチャンネル情報に基づくチャンネルに係るテレビジョン放送信号をチューナ２に受信させる。【選択図】図１
2007335947.tif 000002
【特許請求の範囲】
【請求項１】
所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置であって、
前記設定入力手段は、従前に選局したチャンネルを、再度、選局する旨の再選局情報を設定入力可能に構成され、
前記選局制御手段は、
前記設定入力手段に設定入力されたチャンネルを認識するチャンネル認識部と、
前記チャンネル認識部にて認識されたチャンネルに係るテレビジョン放送信号を前記受信手段に受信させる選局制御を実施する選局制御部と、
前記チャンネル認識部にて認識されたチャンネルに応じて前記選局制御部にて前記選局制御が実施された選局時間を計測する計測部と、
所定の設定時間に関する設定時間情報を記憶する設定時間情報記憶部と、
前記計測部にて計測された選局時間と、前記設定時間情報に基づく設定時間とを比較し、前記選局時間が前記設定時間以上であるか否かを判定する比較判定部と、
前記比較判定部にて前記設定時間以上であると判定された前記選局時間に対応するチャンネルに関するチャンネル情報を記憶するチャンネル情報記憶部とを備え、
前記選局制御部は、前記設定入力手段に前記再選局情報が設定入力された場合に、前記チャンネル情報記憶部に記憶されたチャンネル情報に基づくチャンネルに係るテレビジョン放送信号を前記受信手段に受信させる再選局制御を実施することを特徴とする選局装置。
【請求項２】
所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置の選局方法であって、
前記選局制御手段が、
前記設定入力手段に設定入力されたチャンネルを認識するチャンネル認識ステップと、
前記チャンネル認識ステップにて認識したチャンネルに係るテレビジョン放送信号を前記受信手段に受信させる選局制御を実施する選局制御ステップと、
前記チャンネル認識ステップにて認識したチャンネルに応じて前記選局制御ステップにて前記選局制御を実施した選局時間を計測する計測ステップと、
前記計測ステップにて計測した選局時間と、所定の設定時間とを比較し、前記選局時間が前記設定時間以上であるか否かを判定する比較判定ステップと、
前記比較判定ステップにて前記設定時間以上であると判定した前記選局時間に対応するチャンネルに関するチャンネル情報を記憶するチャンネル情報記憶ステップと、
前記設定入力手段に、従前に選局したチャンネルを、再度、選局する旨の再選局情報が設定入力された場合に、前記チャンネル情報に基づくチャンネルに係るテレビジョン放送信号を前記受信手段に受信させる再選局制御を実施する再選局制御ステップとを実行することを特徴とする選局装置の選局方法。
【請求項３】
所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置の選局プログラムであって、
前記選局制御手段に請求項２に記載の選局方法を実行させることを特徴とする選局装置の選局プログラム。
【請求項４】
請求項３に記載の選局プログラムがコンピュータに読取可能に記録されていることを特徴とする記録媒体。
【請求項５】
テレビジョン放送信号を受信する受信手段と、
請求項１に記載の選局装置と、
前記受信手段にて受信されたテレビジョン放送信号に基づくテレビジョン映像を表示手段に表示させる表示制御手段とを備えていることを特徴とするテレビジョン受信機。
【請求項６】
テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機であって、
前記設定入力手段は、従前に選局したチャンネルを、再度、選局する旨の再選局情報を設定入力可能に構成され、
前記制御手段は、
前記設定入力手段に設定入力されたチャンネルを認識するチャンネル認識部と、
前記チャンネル認識部にて認識されたチャンネルに係るテレビジョン放送信号を前記受信手段に受信させる選局制御を実施する選局制御部と、
前記チャンネル認識部にて認識されたチャンネルに応じて前記選局制御部にて前記選局制御が実施された選局時間を計測する計測部と、
所定の設定時間に関する設定時間情報を記憶する設定時間情報記憶部と、
前記計測部にて計測された選局時間と、前記設定時間情報に基づく設定時間とを比較し、前記選局時間が前記設定時間以上であるか否かを判定する比較判定部と、
前記比較判定部にて前記設定時間以上であると判定された前記選局時間に対応するチャンネルに関するチャンネル情報を順次、記憶するチャンネル情報記憶部と、
前記チャンネル情報記憶部に記憶された複数の前記チャンネル情報に基づいて、前記表示手段に表示可能な前記チャンネル情報の一覧表を作成する一覧表作成部と、
前記設定入力手段に前記再選局情報が設定入力された場合に、前記テレビジョン映像に前記一覧表を重畳表示させる重畳表示制御部とを備えていることを特徴とするテレビジョン受信機。
【請求項７】
テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機の制御方法であって、
前記制御手段が、
前記設定入力手段に設定入力されたチャンネルを認識するチャンネル認識ステップと、
前記チャンネル認識ステップにて認識したチャンネルに係るテレビジョン放送信号を前記受信手段に受信させる選局制御を実施する選局制御ステップと、
前記チャンネル認識ステップにて認識したチャンネルに応じて前記選局制御ステップにて前記選局制御を実施した選局時間を計測する計測ステップと、
前記計測ステップにて計測した選局時間と、所定の設定時間とを比較し、前記選局時間が前記設定時間以上であるか否かを判定する比較判定ステップと、
前記比較判定ステップにて前記設定時間以上であると判定した前記選局時間に対応するチャンネルに関するチャンネル情報を順次、記憶するチャンネル情報記憶ステップと、
前記チャンネル情報記憶ステップにて記憶した複数の前記チャンネル情報に基づいて、前記表示手段に表示可能な前記チャンネル情報の一覧表を作成する一覧表作成ステップと、
前記設定入力手段に前記再選局情報が設定入力された場合に、前記テレビジョン映像に前記一覧表を重畳表示させる重畳表示制御ステップとを実行することを特徴とするテレビジョン受信機の制御方法。
【請求項８】
テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機の制御プログラムであって、
前記制御手段に請求項７に記載の制御方法を実行させることを特徴とするテレビジョン受信機の制御プログラム。
【請求項９】
請求項８に記載の制御プログラムがコンピュータに読取可能に記録されていることを特徴とする記録媒体。
【発明の詳細な説明】
【技術分野】
【０００１】
本発明は、選局装置、この選局方法、この選局プログラム、この選局プログラムを記録した記録媒体、テレビジョン受信機、この制御方法、この制御プログラム、この制御プログラムを記録した記録媒体に関する。
【背景技術】
【０００２】
従来、視聴者により選択されたチャンネルに係るテレビジョン放送信号をチューナ等の受信手段に受信させる選局装置と、受信されたテレビジョン放送信号に基づくテレビジョン映像を表示する表示装置とを備えたテレビジョン受信機が知られている。
このようなテレビジョン受信機において、テレビ番組を視聴している際に、例えばＣＭ(Commercial Message)に入りその場から離れた時に、他の人にチャンネルを変えられてしまうことがある。ここで、視聴者は、今まで視聴していたテレビ番組のチャンネル（以下、最近視聴チャンネル）に再度、戻す場合には、最近視聴チャンネルを覚えておく必要がある。視聴者が最近視聴チャンネルを覚えていない場合には、視聴者は、ランダムにチャンネルを選択し、今まで視聴していたテレビ番組であるか否かを判断する必要があり、利便性の向上が図れない。
【０００３】
そこで、自動チャンネル復帰動作を実施する選局装置が提案されている（例えば、特許文献１参照）。
この選局装置は、現在選局しているチャンネルを検出してメモリに記憶させておき、視聴者によりチャンネルが切り替えられてから所定時間後、メモリに記憶させたチャンネルを選局して、最近視聴チャンネルに自動的に復帰する機能を有するものである。
【０００４】
【特許文献１】特開平１１−１７４９９号公報
【発明の開示】
【発明が解決しようとする課題】
【０００５】
しかしながら、特許文献１に記載の技術では、視聴者がチャンネルを意図的に切り替えた場合、すなわち、他のチャンネルのテレビ番組を視聴することを目的として前記他のチャンネルに切り替えた場合であっても、所定時間後、最近視聴チャンネルに自動的に戻ってしまい、利便性の向上が図れない。
また、特許文献１に記載の技術では、視聴者によりチャンネルが切り替えられた後、カウントダウンタイマが作動したことを視聴者に通知する。そして、カウントダウンタイマにより一定時間が経過する前に、視聴者により解除キーが押下された場合に、自動チャンネル復帰動作を解除できる。しかしながら、上述したように視聴者がチャンネルを意図的に切り替えた場合には、視聴者は、チャンネル切替毎に、解除キーを押下する必要があり、利便性の向上が図れない。
【０００６】
本発明の目的は、利便性の向上が図れる選局装置、この選局方法、この選局プログラム、この選局プログラムを記録した記録媒体、テレビジョン受信機、この制御方法、この制御プログラム、この制御プログラムを記録した記録媒体を提供することにある。
【課題を解決するための手段】
【０００７】
本発明の選局装置は、所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置であって、前記設定入力手段は、従前に選局したチャンネルを、再度、選局する旨の再選局情報を設定入力可能に構成され、前記選局制御手段は、前記設定入力手段に設定入力されたチャンネルを認識するチャンネル認識部と、前記チャンネル認識部にて認識されたチャンネルに係るテレビジョン放送信号を前記受信手段に受信させる選局制御を実施する選局制御部と、前記チャンネル認識部にて認識されたチャンネルに応じて前記選局制御部にて前記選局制御が実施された選局時間を計測する計測部と、所定の設定時間に関する設定時間情報を記憶する設定時間情報記憶部と、前記計測部にて計測された選局時間と、前記設定時間情報に基づく設定時間とを比較し、前記選局時間が前記設定時間以上であるか否かを判定する比較判定部と、前記比較判定部にて前記設定時間以上であると判定された前記選局時間に対応するチャンネルに関するチャンネル情報を記憶するチャンネル情報記憶部とを備え、前記選局制御部は、前記設定入力手段に前記再選局情報が設定入力された場合に、前記チャンネル情報記憶部に記憶されたチャンネル情報に基づくチャンネルに係るテレビジョン放送信号を前記受信手段に受信させる再選局制御を実施することを特徴とする。
【０００８】
本発明では、選局装置は、チャンネル認識部と、選局制御部と、計測部と、設定時間情報記憶部と、比較判定部と、チャンネル情報記憶部とを含んで構成される選局制御手段を備えているので、以下に示すように、従前に選局したチャンネルを再度、選局する再選局処理を実行できる。
先ず、チャンネル認識部は、視聴者による設定入力手段への所定のチャンネルの設定入力により、該チャンネルを認識する（チャンネル認識ステップ）。
次に、選局制御部は、受信手段を制御し、チャンネル認識部にて認識されたチャンネルに係るテレビジョン放送信号を受信手段に受信させる選局制御を実施する（選局制御ステップ）。
また、計測部は、チャンネル認識部にて認識されたチャンネルに応じて選局制御部にて選局制御が実施された選局時間を計測する（計測ステップ）。すなわち、計測部は、チャンネルが選局されている選局時間（所定のチャンネルが選局されてから、他のチャンネルが選局されるまでの時間）を計測する。
【０００９】
次に、比較判定部は、計測部にて計測された選局時間と、設定時間情報記憶部に予め記憶された設定時間情報に基づく設定時間とを比較し、選局時間が設定時間以上であるか否かを判定する（比較判定ステップ）。
ここで、比較判定部は、設定時間以上であると判定した選局時間に対応するチャンネルに関するチャンネル情報をチャンネル情報記憶部に記憶させる（チャンネル情報記憶ステップ）。
そして、選局制御部は、設定入力手段に、従前に選局したチャンネルを、再度、選局する旨の再選局情報が設定入力された場合に、チャンネル情報記憶部に記憶されたチャンネル情報を読み出し、該チャンネル情報に基づくチャンネルに係るテレビジョン放送信号を受信手段に受信させる再選局制御を実施する（再選局制御ステップ）。
【００１０】
以上のような構成により、テレビ番組を視聴している際に、他の人にチャンネルを変えられてしまった場合であっても、視聴者は、今まで視聴していたテレビ番組のチャンネルを覚えておく必要がなく、設定入力手段に再選局情報を設定入力する簡単な操作で、従前に視聴していたチャンネルのテレビ番組を、再度、視聴することができる。
また、設定入力手段に再選局情報が設定入力されることをトリガとして、従前に選局したチャンネルを、再度、選局するので、視聴者がチャンネルを意図的に切り替えた場合であっても、従来のように、所定時間後、最近視聴チャンネルに自動的に戻ることがない。また、従来のように、チャンネル切替毎に、解除キーを押下するような操作を視聴者に実施させる必要もない。
したがって、本発明の選局装置によれば、利便性の向上が図れる。
【００１１】
本発明の選局装置の選局方法は、所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置の選局方法であって、前記選局制御手段が、前記設定入力手段に設定入力されたチャンネルを認識するチャンネル認識ステップと、前記チャンネル認識ステップにて認識したチャンネルに係るテレビジョン放送信号を前記受信手段に受信させる選局制御を実施する選局制御ステップと、前記チャンネル認識ステップにて認識したチャンネルに応じて前記選局制御ステップにて前記選局制御を実施した選局時間を計測する計測ステップと、前記計測ステップにて計測した選局時間と、所定の設定時間とを比較し、前記選局時間が前記設定時間以上であるか否かを判定する比較判定ステップと、前記比較判定ステップにて前記設定時間以上であると判定した前記選局時間に対応するチャンネルに関するチャンネル情報を記憶するチャンネル情報記憶ステップと、前記設定入力手段に、従前に選局したチャンネルを、再度、選局する旨の再選局情報が設定入力された場合に、前記チャンネル情報に基づくチャンネルに係るテレビジョン放送信号を前記受信手段に受信させる再選局制御を実施する再選局制御ステップとを実行することを特徴とする。
本発明の選局方法は、上述した選局装置によって実施されるものであるので、上述した選局装置と同様の作用および効果を享受できる。
【００１２】
本発明の選局装置の選局プログラムは、所定のチャンネルを設定入力可能に構成される設定入力手段と、前記設定入力手段に設定入力されたチャンネルに係るテレビジョン放送信号を受信手段に受信させる選局制御を実施する選局制御手段とを備えた選局装置の選局プログラムであって、前記選局制御手段に上述した選局方法を実行させることを特徴とする。
【００１３】
本発明の記録媒体は、上述した選局プログラムがコンピュータに読取可能に記録されていることを特徴とする。
【００１４】
以上のような構成の選局プログラムおよび記録媒体は、上述した選局方法を実施するために利用されるので、上述した選局方法と同様の作用および効果を享受できる。
【００１５】
本発明のテレビジョン受信機は、テレビジョン放送信号を受信する受信手段と、上述した選局装置と、前記受信手段にて受信されたテレビジョン放送信号に基づくテレビジョン映像を表示手段に表示させる表示制御手段とを備えていることを特徴とする。
本発明のテレビジョン受信機は、上述した選局装置を備えているので、上述した選局装置と同様の作用および効果を享受できる。
【００１６】
本発明のテレビジョン受信機は、テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機であって、前記設定入力手段は、従前に選局したチャンネルを、再度、選局する旨の再選局情報を設定入力可能に構成され、前記制御手段は、前記設定入力手段に設定入力されたチャンネルを認識するチャンネル認識部と、前記チャンネル認識部にて認識されたチャンネルに係るテレビジョン放送信号を前記受信手段に受信させる選局制御を実施する選局制御部と、前記チャンネル認識部にて認識されたチャンネルに応じて前記選局制御部にて前記選局制御が実施された選局時間を計測する計測部と、所定の設定時間に関する設定時間情報を記憶する設定時間情報記憶部と、前記計測部にて計測された選局時間と、前記設定時間情報に基づく設定時間とを比較し、前記選局時間が前記設定時間以上であるか否かを判定する比較判定部と、前記比較判定部にて前記設定時間以上であると判定された前記選局時間に対応するチャンネルに関するチャンネル情報を順次、記憶するチャンネル情報記憶部と、前記チャンネル情報記憶部に記憶された複数の前記チャンネル情報に基づいて、前記表示手段に表示可能な前記チャンネル情報の一覧表を作成する一覧表作成部と、前記設定入力手段に前記再選局情報が設定入力された場合に、前記テレビジョン映像に前記一覧表を重畳表示させる重畳表示制御部とを備えていることを特徴とする。
【００１７】
本発明では、テレビジョン受信機は、チャンネル認識部と、選局制御部と、計測部と、設定時間情報記憶部と、比較判定部と、チャンネル情報記憶部と、一覧表作成部と、重畳表示制御部とを含んで構成される制御手段を備えているので、以下に示すように、従前に選局したチャネルを再度、選局する再選局処理を実行できる。
先ず、チャンネル認識部は、視聴者による設定入力手段への所定のチャンネルの設定入力により、該チャンネルを認識する（チャンネル認識ステップ）。
次に、選局制御部は、受信手段を制御し、チャンネル認識部にて認識されたチャンネルに係るテレビジョン放送信号を受信手段に受信させる選局制御を実施する（選局制御ステップ）。
また、計測部は、チャンネル認識部にて認識されたチャンネルに応じて選局制御部にて選局制御が実施された選局時間を計測する（計測ステップ）。すなわち、計測部は、チャンネルが選局されている選局時間（所定のチャンネルが選局されてから、他のチャンネルが選局されるまでの時間）を計測する。
【００１８】
次に、比較判定部は、計測部にて計測された選局時間と、設定時間情報記憶部に予め記憶された設定時間情報に基づく設定時間とを比較し、選局時間が設定時間以上であるか否かを判定する（比較判定ステップ）。
ここで、比較判定部は、設定時間以上であると判定した選局時間に対応するチャンネルに関するチャンネル情報をチャンネル情報記憶部に順次、記憶させる（チャンネル情報記憶ステップ）。
次に、一覧表作成部は、チャンネル情報記憶部に記憶された複数のチャンネル情報を読み出し、複数のチャンネル情報に基づいて、表示手段に表示可能なチャンネル情報の一覧表を作成する（一覧表作成ステップ）。
そして、重畳表示制御部は、設定入力手段に、従前に選局したチャンネルを、再度、選局する旨の再選局情報が設定入力された場合に、一覧表作成部にて作成された一覧表を読み出し、テレビジョン映像に一覧表を重畳させて表示手段に表示させる（重畳表示制御ステップ）。すなわち、テレビジョン映像に一覧表を重畳させることで、利用者に、従前に選局された複数のチャンネルを認識させ、複数のチャンネルからいずれかのチャンネルの選択を促すこととなる。
したがって、テレビジョン映像に重畳された一覧表に基づいて、利用者がチャンネルを選択することで、上述したチャンネル認識ステップおよび選局制御ステップにより、従前に選局したチャンネルを、再度、選局することとなる。
【００１９】
以上のような構成により、テレビ番組を視聴している際に、他の人にチャンネルを変えられてしまった場合であっても、視聴者は、今まで視聴していたテレビ番組のチャンネルを覚えておく必要がなく、設定入力手段に再選局情報を設定入力する簡単な操作で、一覧表により従前に視聴していたチャンネルを認識できる。また、視聴者は、設定入力手段に一覧表の中のいずれかのチャンネルを設定入力することで、従前に視聴していたチャンネルのテレビ番組を、再度、視聴することができる。
また、設定入力手段に再選局情報が設定入力されることをトリガとして、テレビジョン映像に複数のチャンネル情報の一覧表を重畳表示して従前に選局したチャンネルの選択を促し、チャンネルが選択されることにより、従前に選局したチャンネルを、再度、選局するので、視聴者がチャンネルを意図的に切り替えた場合であっても、従来のように、所定時間後、最近視聴チャンネルに自動的に戻ることがない。また、従来のように、チャンネル切替毎に、解除キーを押下するような操作を視聴者に実施させる必要もない。
したがって、本発明のテレビジョン受信機によれば、利便性の向上が図れる。
【００２０】
本発明のテレビジョン受信機の制御方法は、テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機の制御方法であって、前記制御手段が、前記設定入力手段に設定入力されたチャンネルを認識するチャンネル認識ステップと、前記チャンネル認識ステップにて認識したチャンネルに係るテレビジョン放送信号を前記受信手段に受信させる選局制御を実施する選局制御ステップと、前記チャンネル認識ステップにて認識したチャンネルに応じて前記選局制御ステップにて前記選局制御を実施した選局時間を計測する計測ステップと、前記計測ステップにて計測した選局時間と、所定の設定時間とを比較し、前記選局時間が前記設定時間以上であるか否かを判定する比較判定ステップと、前記比較判定ステップにて前記設定時間以上であると判定した前記選局時間に対応するチャンネルに関するチャンネル情報を順次、記憶するチャンネル情報記憶ステップと、前記チャンネル情報記憶ステップにて記憶した複数の前記チャンネル情報に基づいて、前記表示手段に表示可能な前記チャンネル情報の一覧表を作成する一覧表作成ステップと、前記設定入力手段に前記再選局情報が設定入力された場合に、前記テレビジョン映像に前記一覧表を重畳表示させる重畳表示制御ステップとを実行することを特徴とする。
【００２１】
本発明のテレビジョン受信機の制御方法は、上述したテレビジョン受信機によって実施されるものであるので、上述したテレビジョン受信機と同様の作用および効果を享受できる。
【００２２】
本発明のテレビジョン受信機の制御プログラムは、テレビジョン放送信号を受信する受信手段と、所定のチャンネルを設定入力可能に構成される設定入力手段と、前記設定入力手段に設定入力されたチャンネルに係るテレビジョン放送信号を前記受信手段に受信させるとともに、前記受信手段にて受信されたテレビジョン放送信号に基づくテレビジョン映像を表示手段に表示させる制御手段とを備えたテレビジョン受信機の制御プログラムであって、前記制御手段に上述した制御方法を実行させることを特徴とする。
【００２３】
本発明の記録媒体は、上述した制御プログラムがコンピュータに読取可能に記録されていることを特徴とする。
【００２４】
以上のような構成の制御プログラムおよび記録媒体は、上述した制御方法を実施するために利用されるので、上述した制御方法と同様の作用および効果を享受できる。
【発明を実施するための最良の形態】
【００２５】
[第１実施形態]
以下、本発明の第１実施形態を図面に基づいて説明する。
〔テレビジョン受信機の構成〕
図１は、テレビジョン受信機１の構成を示すブロック図である。
テレビジョン受信機１は、視聴者により選択されたチャンネルに係る周波数のテレビジョン放送信号を受信し、該テレビジョン放送信号に基づくテレビジョン映像を表示するものである。このテレビジョン受信機１は、図１に示すように、受信手段としてのチューナ２と、設定入力手段としてのリモートコントローラ３と、表示手段としての画像表示装置４と、制御装置５等を備える。
【００２６】
チューナ２は、アンテナＡＮＴを介して受信されるテレビジョン放送信号のうち、制御装置５による制御の下、所定のチャンネルに係る周波数のテレビジョン放送信号を選択して受信する。そして、チューナ２は、受信したテレビジョン放送信号を一定周波数の信号に変換して制御装置５に出力する。
【００２７】
リモートコントローラ３は、複数の操作キー３１を備え、視聴者により操作キーが押下されると、当該操作キーに応じた操作信号を赤外線により制御装置５に送信する。ここで、複数の操作キー３１は、図１に示すように、所定のチャンネルを設定入力するための複数のチャンネル操作キー３１１や、従前に選局したチャンネルを、再度、選局する旨の再選局情報を設定入力するための再選局操作キー３１２等を含んで構成される。そして、リモートコントローラ３は、チャンネル操作キー３１１の押下によるチャンネル切替操作信号や、再選局操作キー３１２の押下による再選局操作信号等の操作信号を送信する。
なお、図１では、複数の操作キー３１におけるテレビジョン受信機１の電源ＯＮ／ＯＦＦを実施する操作キー、音量調整を実施する操作キー、映像の調整（サイズ調整、画質調整等）を実施する操作キー等の他の操作キーについては、図示を省略している。
また、リモートコントローラ３は、赤外線によって操作信号を送信する構成としたが、電波によって操作信号を送信するように構成しても構わない。
【００２８】
画像表示装置４は、制御装置５による制御の下、テレビジョン放送信号に基づくテレビジョン映像等を表示するものである。
【００２９】
制御装置５は、チューナ２、リモートコントローラ３、画像表示装置４等を制御する。この制御装置５は、図１に示すように、信号処理部５１と、情報分離部５２と、画像情報処理部５３と、制御部５４と、メモリ５５等を備える。
信号処理部５１は、リモートコントローラ３から送信された赤外線の操作信号を受信し、制御部５４にて読取可能な信号（デジタル信号）に変換して制御部５４に出力する。
【００３０】
情報分離部５２は、例えば、デマルチプレクサ等で構成され、チューナ２により変換された信号から、画像情報、音声情報、およびＥＰＧ(Electronic Program Guide)情報等を分離、抽出する。これらのうち、画像情報は、画像情報処理部５３に出力される。また、音声情報は、音声情報処理部（図示略）にて処理され、スピーカ（図示略）を介した該音声情報に応じた音声として出力される。さらに、ＥＰＧ情報は、ＥＰＧ情報処理部（図示略）にて処理され、適宜、画像表示装置４に表示される。
【００３１】
画像情報処理部５３は、情報分離部５２から出力された画像情報に対して、画像処理および描画処理を行う。この画像情報処理部５３は、図１に示すように、画像処理部５３１と、描画処理部５３２と、バッファ５３３と、画像出力部５３４とを備える。
画像処理部５３１は、情報分離部５２から出力された画像情報を、画像表示装置４の仕様に適応する１フレーム毎の画像情報に変換して描画処理部５３２に出力する。
描画処理部５３２は、画像処理部５３１から出力された画像情報に対し、制御部５４の制御の下、画像サイズの調整や表示位置の調整、画像表示装置４に表示される画像の形成等を行い、バッファ５３３に１フレームの表示画像として出力する。
画像出力部５３４は、バッファ５３３内に格納された表示画像を読み取り、画像信号として画像表示装置４に出力する。そして、画像表示装置４は、チューナ２にて受信されたテレビジョン放送信号に基づくテレビジョン映像を表示する。
【００３２】
制御部５４は、メモリ５５から制御プログラム（選局プログラム等）を読み込んで実行するＣＰＵ(Central Processing Unit)等で構成され、テレビジョン受信機１全体を制御するものであり、図１に示すように、チャンネル認識部５４１と、選局制御部５４２と、計測部としてのタイマ５４３と、比較判定部５４４と、表示制御手段としての表示制御部５４５等を備える。
チャンネル認識部５４１は、リモートコントローラ３から送信され信号処理部５１を介して入力したチャンネル切替操作信号（デジタル信号）に基づいて、視聴者によるリモートコントローラ３に設定入力されたチャンネルを認識する。そして、チャンネル認識部５４１は、認識したチャンネルに関するチャンネル情報を、制御部５４の図示しない内部メモリ等に記憶する。ここで、チャンネル認識部５４１によるチャンネルの認識方法としては、例えば、チャンネル切替操作信号（デジタル信号）に予め関連付けたチャンネル情報（チャンネル番号、チャンネル番号に相当する放送局名等）を図示しない内部メモリ等に記憶しておけば、入力したチャンネル切替操作信号に関連付けられたチャンネル情報を前記内部メモリから取得することで、チャンネルを認識できる。そして、チャンネル認識部５４１は、認識したチャンネルに関するチャンネル情報を、図示しない内部メモリ等に記憶しておく。
【００３３】
選局制御部５４２は、チューナ２を制御し、チャンネル認識部５４１にて認識されたチャンネルに係る周波数のテレビジョン放送信号をチューナ２に受信させる選局制御を実施する。
また、選局制御部５４２は、リモートコントローラ３から送信され信号処理部５１を介した再選局操作信号（デジタル信号）を入力した場合には、メモリ５５に記憶されたチャンネル情報に基づくチャンネルに係る周波数のテレビジョン放送信号をチューナ２に受信させる再選局制御を実施する。
【００３４】
タイマ５４３は、チャンネル認識部５４１にて認識されたチャンネルに応じて選局制御部５４２にて選局制御が実施された選局時間を計測する。より具体的に、タイマ５４３は、信号処理部５１を介したチャンネル切替操作信号の入力をトリガとして、時間の計測を開始する。また、タイマ５４３は、時間の計測中、信号処理部５１を介してチャンネル切替操作信号を入力すると、時間の計測を停止し、再度、時間の計測を開始する。すなわち、タイマ５４３は、視聴者によりリモートコントローラ３が操作され、チャンネルが設定入力されてから、他のチャンネルが設定入力されるまで（チャンネルが切り替えられるまで）の選局時間を計測する。
【００３５】
比較判定部５４４は、タイマ５４３にて計測された選局時間と、メモリ５５に記憶された設定時間情報に基づく設定時間とを比較し、選局時間が設定時間以上であるか否かを判定する。そして、比較判定部５４４は、選局時間が設定時間以上であると判定した場合に、前記内部メモリから該選局時間に対応するチャンネル情報を認識し、認識したチャンネル情報をメモリ５５に記憶させる。
【００３６】
表示制御部５４５は、視聴者により操作されリモートコントローラ３から出力される映像の調整を実施する旨の操作信号や、メモリ５５に記憶された制御プログラムにしたがって画像情報処理部５３に所定の制御指令を出力し、画像情報処理部５３に画像情報に対して上述した処理を実行させる。そして、表示制御部５４５は、チューナ２にて受信されたテレビジョン放送信号に基づくテレビジョン映像を画像表示装置４に表示させる。
【００３７】
メモリ５５は、制御部５４による処理に必要な情報（例えば、制御プログラムや設定時間情報等）、制御部５４にて処理された情報（例えば、チャンネル情報等）を記憶する。
なお、設定時間情報は、所定の設定時間に関する情報であり、予めメモリ５５に記憶されているものである。
本実施形態では、メモリ５５は、チャンネル情報を記憶する際、１つのみのチャンネル情報を記憶するように構成されている。すなわち、メモリ５５は、記憶されたチャンネル情報を、比較判定部５４４から出力されるチャンネル情報に順次、更新するように構成されている。
すなわち、メモリ５５は、本発明に係る設定時間情報記憶部およびチャンネル情報記憶部に相当する。
また、チャンネル認識部５４１、選局制御部５４２、タイマ５４３、比較判定部５４４、メモリ５５は、本発明に係る選局制御手段６１（図１）に相当する。
さらに、選局制御手段６１、信号処理部５１、およびリモートコントローラ３は、本発明に係る選局装置６（図１）に相当する。
【００３８】
〔テレビジョン受信機の制御方法〕
次に、上述した制御装置５によるテレビジョン受信機１の制御方法（選局装置６の選局方法）を図面に基づいて説明する。
図２および図３は、制御装置５によるテレビジョン受信機１の制御方法を説明するフローチャートである。具体的に、図２は、制御装置５により実行される選局処理を説明するためのフローチャートである。図３は、制御装置５により実行される再選局処理を説明するためのフローチャートである。
【００３９】
〔制御装置による選局処理〕
先ず、制御装置５により実行される選局処理について、図２を参照して説明する。
なお、以下では、テレビジョン受信機１の電源がＯＮ状態であり、所定のチャンネルが選局され、該チャンネルに係るテレビジョン映像が画像表示装置４に表示された状態とする。
先ず、制御装置５のチャンネル認識部５４１は、視聴者によりリモートコントローラ３が操作され、リモートコントローラ３から送信され信号処理部５１を介したチャンネル切替操作信号を入力したか否かを常時、監視する（ステップＳ１）。
ステップＳ１において、チャンネル認識部５４１は、信号処理部５１を介してチャンネル切替操作信号を入力すると、チャンネル切替操作信号に基づいて、視聴者によりリモートコントローラ３に設定入力されたチャンネルを認識する（ステップＳ２：チャンネル認識ステップ）。そして、チャンネル認識部５４１は、認識したチャンネルに関するチャンネル情報を、前記内部メモリに記憶しておく。
【００４０】
ステップＳ２の後、制御装置５の選局制御部５４２は、チューナ２を制御し、チャンネル認識部５４１にて認識されたチャンネルに係る周波数のテレビジョン放送信号をチューナ２に受信させる選局制御を実施する（ステップＳ３：選局制御ステップ）。
ステップＳ３の後、制御装置５の表示制御部５４５は、画像情報処理部５３に所定の制御指令を出力し、画像情報処理部５３に画像情報に対して処理を実行させ、チューナ２にて受信されたテレビジョン放送信号に基づくテレビジョン映像を画像表示装置４に表示させる（ステップＳ４）。
【００４１】
また、ステップＳ２の後、制御装置５のタイマ５４３は、ステップＳ３，Ｓ４と並行して、時間の計測を開始する（ステップＳ５：計測ステップ）。
ステップＳ５の後、チャンネル認識部５４１は、上述したステップＳ１と同様に、チャンネル切替操作信号を入力したか否かを常時、監視する（ステップＳ６）。
ステップＳ６において、チャンネル認識部５４１が「Ｎ」と判定した場合、すなわち、視聴者によるリモートコントローラ３の操作により、チャンネルを切り替える操作が実施されていないと判定した場合には、上述したステップＳ３〜Ｓ５を継続する。
【００４２】
一方、ステップＳ６において、チャンネル認識部５４１が「Ｙ」と判定した場合、すなわち、視聴者によるリモートコントローラ３の操作により、チャンネルを切り替える操作が実施されたと判定した場合には、比較判定部５４４は、メモリ５５に記憶された設定時間情報を読み出すとともに、タイマ５４３により計測されたチャンネルが切り替えられるまでの選局時間を認識する。そして、比較判定部５４４は、選局時間が設定時間情報に基づく設定時間以上であるか否かを判定する（Ｓ７：比較判定ステップ）。すなわち、比較判定部５４４は、ステップＳ１において視聴者により設定入力されたチャンネルに係るテレビジョン映像の視聴時間（選局時間）が設定時間以上であるか否かを判定している。
【００４３】
ステップＳ７において、比較判定部５４４が「Ｎ」と判定した場合、すなわち、選局時間が設定時間未満であると判定した場合には、再度、上述したステップＳ２に戻る。そして、上記同様に、ステップＳ６において視聴者によるリモートコントローラ３の操作により入力したチャンネル切替操作信号に基づいて、視聴者により設定入力されたチャンネルの認識（ステップＳ２）、前記チャンネルに係る周波数のテレビジョン放送信号をチューナ２に受信させる選局制御（ステップＳ３）、受信したテレビジョン放送信号に基づくテレビジョン映像の表示（ステップＳ４）、視聴者により設定入力されたチャンネルに係るテレビジョン映像の選局時間の計測（ステップＳ５）が実行される。
【００４４】
一方、ステップＳ７において、比較判定部５４４は、「Ｙ」と判定した場合、すなわち、選局時間が設定時間以上であると判定した場合には、チャンネル認識部５４１により前記内部メモリに記憶されたチャンネル情報（前記選局時間に応じたチャンネル情報）を認識し、認識したチャンネル情報をメモリ５５に記憶させる（ステップＳ８：チャンネル情報記憶ステップ）。
ステップＳ８の後は、再度、上述したステップＳ２に戻る。そして、上記同様に、ステップＳ６において視聴者によるリモートコントローラ３の操作により入力したチャンネル切替操作信号に基づいて、視聴者により設定入力されたチャンネルの認識（ステップＳ２）、前記チャンネルに係る周波数のテレビジョン放送信号をチューナ２に受信させる選局制御（ステップＳ３）、受信したテレビジョン放送信号に基づくテレビジョン映像の表示（ステップＳ４）、視聴者により設定入力されたチャンネルに係るテレビジョン映像の選局時間の計測（ステップＳ５）が実行される。
以上のように、チャンネル切替操作信号の入力（ステップＳ６）に応じて、ステップＳ２，Ｓ３，Ｓ４，Ｓ５，Ｓ７，Ｓ８が繰り返し実行される。
【００４５】
〔制御装置による再選局処理〕
次に、制御装置５により実行される再選局処理について、図３を参照して説明する。
なお、以下では、制御装置５により上述した選局処理が実行され、テレビジョン映像が画像表示装置４に表示された状態とする。
先ず、選局制御部５４２は、視聴者によりリモートコントローラ３が操作され、リモートコントローラ３から送信され信号処理部５１を介した再選局操作信号を入力したか否かを常時、監視する（ステップＳ１１）。
【００４６】
ステップＳ１１において、選局制御部５４２は、信号処理部５１を介して再選局操作信号を入力すると、上述したステップＳ８においてメモリ５５に記憶されたチャンネル情報を読み出す（ステップＳ１２）。
ステップＳ１２の後、選局制御部５４２は、読み出したチャンネル情報に基づくチャンネルに係る周波数のテレビジョン放送信号をチューナ２に受信させる再選局制御を実施する（ステップＳ１３：再選局制御ステップ）。
ステップＳ１３の後、表示制御部５４５は、画像情報処理部５３に所定の制御指令を出力し、画像情報処理部５３に画像情報に対して処理を実行させ、チューナ２にて受信されたテレビジョン放送信号に基づくテレビジョン映像を画像表示装置４に表示させる（ステップＳ１４）。
【００４７】
上述した第１実施形態によれば、以下の効果がある。
本実施形態では、テレビジョン受信機１を構成する選局装置６は、チャンネル認識部５４１と、選局制御部５４２と、タイマ５４３と、比較判定部５４４と、メモリ５５とを含んで構成される選局制御手段６１を備えている。このことにより、テレビ番組を視聴している際に、他の人にチャンネルを変えられてしまった場合であっても、視聴者は、今まで視聴していたテレビ番組のチャンネルを覚えておく必要がなく、リモートコントローラ３の再選局操作キー３１２を押下する簡単な操作で、従前に視聴していたチャンネルのテレビ番組を、再度、視聴することができる。
【００４８】
また、リモートコントローラ３の再選局操作キー３１２が押下されること（再選局操作信号が入力されること）をトリガとして、従前に選局したチャンネルを、再度、選局するので、視聴者がチャンネルを意図的に切り替えた場合、すなわち、他のチャンネルのテレビ番組を視聴することを目的として前記他のチャンネルに切り替えた場合であっても、従来のように、所定時間後、今まで視聴していたテレビ番組のチャンネルに自動的に戻ることがない。また、従来のように、チャンネル切替毎に、解除キーを押下するような操作を視聴者に実施させる必要もない。
したがって、本実施形態のテレビジョン受信機１によれば、利便性の向上が図れる。
【００４９】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図４は、第２実施形態におけるテレビジョン受信機１Ａの構成を示すブロック図である。
前記第１実施形態では、メモリ５５には１つのみのチャンネル情報が記憶されている。そして、制御装置５は、信号処理部５１を介して再選局操作信号を入力した場合に、メモリ５５に記憶された１つのみのチャンネル情報に基づくチャンネルに係る周波数のテレビジョン放送信号をチューナ２に受信させ、受信させたテレビジョン放送信号に基づくテレビジョン映像を画像表示装置４に表示させる再選局処理を実行する。
これに対して第２実施形態では、メモリ５５Ａにはチャンネル情報が順次、記憶される。また、前記第１実施形態に対して、図４に示すように、表示制御部５４５Ａの構成が異なる。そして、制御手段としての制御装置５Ａは、信号処理部５１を介して再選局操作信号を入力した場合に、メモリ５５Ａに記憶された複数の前記チャンネル情報に基づいて、チャンネル情報の一覧表データを作成し、該一覧表データをテレビジョン映像に重畳表示させて選択を促し、選択されたチャンネルに係る周波数のテレビジョン放送信号をチューナ２に受信させ、受信させたテレビジョン放送信号に基づくテレビジョン映像を画像表示装置４に表示させる再選局処理を実行する。すなわち、メモリ５５Ａが複数のチャンネル情報を記憶する点、選局制御部５４２Ａの機能が異なる点、表示制御部５４５Ａの構成が異なる点以外については、前記第１実施形態と同様のものである。
【００５０】
メモリ５５Ａは、前記第１実施形態で説明したメモリ５５と同様に、制御部５４Ａによる処理に必要な情報（例えば、制御プログラムや設定時間情報等）、制御部５４Ａにて処理された情報（例えば、チャンネル情報等）を記憶する。
本実施形態では、メモリ５５Ａは、比較判定部５４４から出力されるチャンネル情報を順次、記憶するように構成されている。例えば、メモリ５５Ａに記憶されるチャンネル情報は、記憶された順番に応じて整列するテーブル構造を有している。
すなわち、メモリ５５Ａは、前記第１実施形態で説明したメモリ５５と同様に、本発明に係る設定時間情報記憶部およびチャンネル情報記憶部に相当する。
また、選局制御部５４２Ａは、前記第１実施形態で説明した選局制御部５４２と略同様の機能を有し、異なる点は、再選局制御を実施しない点である。
【００５１】
表示制御部５４５Ａは、前記第１実施形態で説明した表示制御部５４５と同様の機能の他、図４に示すように、一覧表作成部５４５１と、重畳表示制御部５４５２とを備える。
一覧表作成部５４５１は、メモリ５５Ａに記憶された複数のチャンネル情報を読み出し、複数のチャンネル情報に基づいて、画像表示装置４に表示可能なチャンネル情報の一覧表データを作成する。
重畳表示制御部５４５２は、信号処理部５１を介して再選局操作信号を入力した場合に、画像情報処理部５３に所定の制御指令、および、一覧表作成部５４５１にて作成された一覧表データを出力する。そして、画像情報処理部５３は、重畳表示制御部５４５２から出力された制御指令および一覧表データに基づいて、テレビジョン映像に一覧表示データを重畳させて画像表示装置４に表示させる。
【００５２】
次に、第２実施形態におけるテレビジョン受信機１Ａの制御方法を図面に基づいて説明する。
図５は、第２実施形態における制御装置５Ａによるテレビジョン受信機１Ａの制御方法を説明するフローチャートである。具体的に、図５は、制御装置５Ａにより実行される再選局処理を説明するためのフローチャートである。
図６は、制御装置５Ａによるテレビジョン受信機１Ａの制御方法を説明するための図である。具体的に、図６は、画像表示装置４に表示される情報を示す図である。
本実施形態におけるテレビジョン受信機１Ａの制御方法は、前記第１実施形態における制御方法に対して、制御装置５Ａにより実行される再選局処理が異なるのみであり、以下では、制御装置５Ａにより実行される再選局処理を説明する。
なお、以下では、制御装置５Ａにより前記第１実施形態で説明した選局処理が実行され、テレビジョン映像が画像表示装置４に表示された状態とする。
先ず、制御装置５Ａは、前記第１実施形態で説明したステップＳ１１と同様に、視聴者によりリモートコントローラ３が操作され、リモートコントローラ３から送信され信号処理部５１を介した再選局操作信号を入力したか否かを常時、監視する（ステップＳ１１）。
【００５３】
ステップＳ１１において、表示制御部５４５Ａは、信号処理部５１を介して再選局操作信号を入力すると、メモリ５５Ａに記憶された複数のチャンネル情報を読み出す（ステップＳ２１）。
ステップＳ２１の後、表示制御部５４５Ａの一覧表作成部５４５１は、読み出した複数のチャンネル情報に基づいて、チャンネル情報の一覧表データを作成する（ステップＳ２２：一覧表作成ステップ）。
例えば、図６に示すように、一覧表データＤ１は、複数のチャンネル情報に基づいて、「１０：○○○」、「１５：△△△」、「２０：×××」等の「チャンネル番号：放送局名」の各チャンネル情報を記憶された順に整列させたデータ構造が例示できる。なお、一覧表データとしては、各チャンネル情報の表示色に関する色データを付加したデータ構造を採用しても構わない。例えば、各チャンネル情報とともに各選局時間をメモリ５５に記憶しておき、各選局時間に応じて、チャンネル情報毎に異なる表示色に関する各色データを付加したデータ構造とする。また、一覧表データとしては、記憶された順に各チャンネル情報を整列させたデータ構造に限らず、例えば、前記各選局時間に応じて各チャンネル情報を順に整列させたデータ構造としても構わない。
【００５４】
ステップＳ２２の後、表示制御部５４５Ａの重畳表示制御部５４５２は、画像情報処理部５３に所定の制御指令、および一覧表作成部５４５１にて作成された一覧表データＤ１を出力し、画像情報処理部５３に処理を実行させ、図６に示すように、テレビジョン映像Ｄ０に一覧表データＤ１を重畳させて画像表示装置４に表示させる（ステップＳ２３：重畳表示制御ステップ）。そして、表示制御部５４５Ａは、画像表示装置４に表示させた一覧表データＤ１により、視聴者に対して、一覧表データＤ１における複数のチャンネル情報に応じた各チャンネルの選択を促す。
なお、一覧表データＤ１に上述した色データが付加されている場合には、重畳表示制御部５４５２は、各チャンネル情報を各色データに基づく表示色で表示させる。
【００５５】
ステップＳ２３の後、チャンネル認識部５４１は、視聴者によるリモートコントローラ３の操作により一覧表データＤ１における複数のチャンネル情報のうちいずれかのチャンネル情報に応じたチャンネルが設定入力され、リモートコントローラ３から送信され信号処理部５１を介したチャンネル切替操作信号を入力したか否かを常時、監視する（ステップＳ２４）。
【００５６】
ステップＳ２４において、チャンネル認識部５４１が信号処理部５１を介してチャンネル切替操作信号を入力していないと判定した場合には、制御部５４Ａは、上述したステップＳ２３におけるテレビジョン映像Ｄ０への一覧表データＤ１の重畳表示状態を継続する。なお、所定時間経っても、チャンネル認識部５４１がチャンネル切替操作信号を入力していないと判定した場合には、テレビジョン映像Ｄ０への一覧表データＤ１の重畳表示状態を停止し、テレビジョン映像Ｄ０のみを表示させる構成としても構わない。
【００５７】
ステップＳ２４において、チャンネル認識部５４１は、信号処理部５１を介してチャンネル切替操作信号を入力すると、チャンネル切替操作信号に基づいて、視聴者によって一覧表データＤ１から選択されたチャンネル情報に応じたチャンネルを認識する（ステップＳ２５：チャンネル認識ステップ）。
ステップＳ２５の後、選局制御部５４２は、チューナ２を制御し、チャンネル認識部５４１にて認識されたチャンネルに係る周波数のテレビジョン放送信号をチューナ２に受信させる選局制御を実施する（ステップＳ２６：選局制御ステップ）。
ステップＳ２６の後、表示制御部５４５Ａは、画像情報処理部５３に所定の制御指令を出力し、画像情報処理部５３に画像情報に対して処理を実行させ、チューナ２にて受信されたテレビジョン放送信号に基づくテレビジョン映像を画像表示装置４に表示させる（ステップＳ２７）。
【００５８】
上述した第２実施形態によれば、以下の効果がある。
本実施形態では、テレビジョン受信機１Ａを構成する制御装置５Ａは、チャンネル認識部５４１と、選局制御部５４２と、タイマ５４３と、比較判定部５４４と、一覧表作成部５４５１と、重畳表示制御部５４５２と、メモリ５５とを備えている。このことにより、テレビ番組を視聴している際に、他の人にチャンネルを変えられてしまった場合であっても、視聴者は、今まで視聴していたテレビ番組のチャンネルを覚えておく必要がなく、リモートコントローラ３の再選局操作キー３１２を押下する簡単な操作で、一覧表データＤ１により従前に視聴していたチャンネルを認識できる。また、視聴者は、リモートコントローラ３のチャンネル操作キー３１１により一覧表データＤ１の中のいずれかのチャンネルを選択することで、従前に視聴していたチャンネルのテレビ番組を、再度、視聴することができる。
【００５９】
また、リモートコントローラ３の再選局操作キー３１２が押下されること（再選局操作信号が入力されること）をトリガとして、テレビジョン映像Ｄ０に複数のチャンネル情報の一覧表データＤ１が重畳表示されて従前に選局したチャンネルの選択を促し、チャンネルが選択されることにより、従前に選局したチャンネルを、再度、選局するので、視聴者がチャンネルを意図的に切り替えた場合であっても、従来のように、所定時間後、今まで視聴していたテレビ番組のチャンネルに自動的に戻ることがない。また、従来のように、チャンネル切替毎に、解除キーを押下するような操作を視聴者に実施させる必要もない。
したがって、本発明のテレビジョン受信機１Ａによれば、利便性の向上が図れる。
【００６０】
さらに、リモートコントローラ３の再選局操作キー３１２が誤って押下された場合であっても、テレビジョン映像Ｄ０に一覧表データＤ１が重畳表示されるだけであるので、前記第１実施形態のように再選局操作キー３１２の押下直後に従前に選局されたチャンネルに切り替わることがなく、このような場合において、利便性の向上がさらに図れる。
【００６１】
なお、本発明は前述の実施形態に限定されるものではなく、本発明の目的を達成できる範囲での変形、改良等は本発明に含まれるものである。
前記第１実施形態では、メモリ５５は、チャンネル情報を記憶する際、１つのみのチャンネル情報を記憶するように構成されていたが、前記第２実施形態のように、チャンネル情報を順次、記憶し、複数のチャンネル情報を記憶する構成としてもよい。このような構成とした場合には、選局制御部５４２は、以下に示すように、再選局制御を実施する構成とする。
すなわち、選局制御部５４２は、リモートコントローラ３から送信され信号処理部５１を介して再選局操作信号を入力すると、メモリ５５に記憶された複数のチャンネル情報を読み出し、複数のチャンネル情報のうちいずれかのチャンネル情報を選択し、該チャンネル情報に基づくチャンネルに係る周波数のテレビジョン放送信号をチューナ２に受信させる再選局制御を実施する。また、選局制御部５４２は、リモートコントローラ３から送信され信号処理部５１を介して再選局操作信号を、再度、入力すると、前記複数のチャンネル情報のうち他のチャンネル情報に基づくチャンネルに係る周波数のテレビジョン放送信号をチューナ２に受信させる再選局制御を実施する。
【００６２】
前記第２実施形態では、一覧表データＤ１に含まれるチャンネル情報として、「チャンネル番号：放送局名」を採用したがこれに限らず、例えば、情報分離部５２にて分離したＥＰＧ情報に含まれる番組に関する番組情報を付加した構成を採用しても構わない。すなわち、チャンネル情報としては、従前に視聴していたチャンネルのチャンネル番号、放送局名、テレビ番組の番組情報（放映日、放映開始時刻、放映終了時刻、タイトル、番組内容、ジャンル等）を採用しても構わない。
【００６３】
前記各実施形態において、メモリ５５，５５Ａに記憶された設定時間情報に基づく設定時間としては、例えば、リモートコントローラ３等の入力操作により、適宜、変更可能に構成しても構わない。
【００６４】
前記各実施形態では、本発明に係る設定入力手段としてリモートコントローラ３を採用していたが、これに限らず、これに限らず、テレビジョン受信機１，１Ａの筺体（図示略）に露出して設ける操作パネル等で構成しても構わない。この操作パネルは、リモートコントローラ３と同様の操作キーを有しているものである。
【００６５】
前記各実施形態では、選局処理として、テレビジョン受信機１，１Ａの電源がＯＮ状態であり、所定のチャンネルが選局された際の選局処理を説明したが、例えば、テレビジョン受信機１，１Ａの電源をＯＮした起動時の選局処理として、以下の選局処理を採用しても構わない。
例えば、テレビジョン受信機１，１Ａの起動時に、選局制御部５４２，５４２Ａは、テレビジョン受信機１，１Ａの電源がＯＦＦされた際に選局していたチャンネル（チャンネル認識部５４１にて認識された内部メモリに記憶されたチャンネル情報に基づくチャンネル）に係る周波数のテレビジョン放送信号をチューナ２に受信させる選局制御を実施する。この後、前記各実施形態で説明したように、上述したステップＳ３〜Ｓ８を実行する。
【００６６】
前記各実施形態において、テレビジョン受信機１，１Ａとしては、フロントプロジェクタ、リアプロジェクタ、プラズマテレビ、液晶テレビ、および、ＣＲＴ（Cathode Ray Tube）方式テレビ等で構成できるものである。すなわち、画像表示装置４としては、液晶パネル、または、デジタル・マイクロミラー・デバイス（テキサスインスツルメント社商標）、ＰＤＰ（Plasma Display Panel）等を備える電気光学装置、および、ＣＲＴディスプレイ等で構成できるものである。
【産業上の利用可能性】
【００６７】
本発明は、利便性の向上が図れるので、選局装置やテレビジョン受信機に利用できる。
【図面の簡単な説明】
【００６８】
【図１】第１実施形態におけるテレビジョン受信機の構成を示すブロック図。
【図２】前記実施形態における制御装置によるテレビジョン受信機の制御方法を説明するフローチャート。
【図３】前記実施形態における制御装置によるテレビジョン受信機の制御方法を説明するフローチャート。
【図４】第２実施形態におけるテレビジョン受信機の構成を示すブロック図。
【図５】前記実施形態における制御装置によるテレビジョン受信機の制御方法を説明するフローチャート。
【図６】前記実施形態における制御装置によるテレビジョン受信機の制御方法を説明するための図。
【符号の説明】
【００６９】
１，１Ａ・・・テレビジョン受信機、２・・・チューナ（受信手段）、３・・・リモートコントローラ（設定入力手段）、４・・・画像表示装置（表示手段）、５Ａ・・・制御装置（制御手段）、６・・・選局装置、５５，５５Ａ・・・メモリ（設定時間情報記憶部、チャンネル情報記憶部）、６１・・・選局制御手段、５４１・・・チャンネル認識部、５４２，５４２Ａ・・・選局制御部、５４３・・・タイマ（計測部）、５４４・・・比較判定部、５４５，５４５Ａ・・・表示制御部（表示制御手段）、５４５１・・・一覧表作成部、５４５２・・・重畳表示制御部、Ｓ２，Ｓ２５・・・チャンネル認識ステップ、Ｓ３，Ｓ２６・・・選局制御ステップ、Ｓ５・・・計測ステップ、Ｓ７・・・比較判定ステップ、Ｓ８・・・チャンネル情報記憶ステップ、Ｓ１３・・・再選局制御ステップ、Ｓ２２・・・一覧表作成ステップ、Ｓ２３・・・重畳表示制御ステップ。
【図１】
2007335947.tif 000003
【図２】
2007335947.tif 000004
【図３】
2007335947.tif 000005
【図４】
2007335947.tif 000006
【図５】
2007335947.tif 000007
【図６】
2007335947.tif 000008